(57)【要約】【課題】  給紙カセットを画像形成装置から抜き出す際に、給紙カセットからリタードロールまで送り出されて停止している記録紙にダメージを与えることを防止する。【解決手段】  給紙装置４０では、ブロワー９４がリタードロール７２よりも搬送方向下流側からリタードロール７２の上面に向けてエアーを吹付ける。エアー制御部１００は、給紙終了後に、ブロワー９４を駆動させる。これによって、リタードロール７２まで送り出されて停止している記録紙Ｐの先端に向けてエアーが吹付けられ、この記録紙Ｐは給紙カセット４４に戻される。【選択図】  図５
2005335938.tif 000002
【特許請求の範囲】
【請求項１】
シートを収容するシート収容部と、
前記シート収容部に収容されたシートを前記シート収容部から送り出す給紙手段と、
前記シート収容部よりも搬送方向下流側で前記給紙手段に当接してシートの重送を防止する重送防止手段と、
前記シート収容部に収容されたシートを昇降させる昇降手段と、
搬送方向下流側から、送り出されたシートに向けてエアーを吹付ける吹付け手段と、
給紙終了後に前記吹付け手段を作動させる第１制御手段と、
を有することを特徴とする給紙装置。
【請求項２】
前記シート収容部から送り出されたシートを検出するシート検出手段を備え、
前記第１制御手段は、給紙終了後、前記シート検出手段から検出信号を受信すると前記吹付け手段を作動させることを特徴とする請求項１に記載の給紙装置。
【請求項３】
前記重送防止手段を前記給紙手段から離間させる離間手段を備え、
前記第１制御手段は、給紙終了後、前記離間手段を前記吹付け手段と共に作動させることを特徴とする請求項１又は２に記載の給紙装置。
【請求項４】
前記第１制御手段は、給紙終了後、前記シート検出手段から検出信号を受信すると、前記吹付け手段と共に前記離間手段を作動させることを特徴とする請求項２、３に記載の給紙装置。
【請求項５】
筐体に挿抜可能なシートを収容するシート収容部と、
前記シート収容部に収容されたシートを前記シート収容部から送り出す給紙手段と、
前記シート収容部よりも搬送方向下流側で前記給紙手段に当接してシートの重送を防止する重送防止手段と、
前記シート収容部に収容されたシートを昇降させる昇降手段と、
前記シート収容部が前記筐体に挿入されたことを検出する挿入検出手段と、
前記挿入検出手段から検出信号を受信した後、前記シート検出手段から検出信号を受信しなければ前記昇降手段を上昇させる第２制御手段と、
を有することを特徴とする給紙装置。
【請求項６】
筐体に挿抜可能なシートを収容するシート収容部と、
前記シート収容部に収容されたシートを前記シート収容部から送り出す給紙手段と、
前記シート収容部よりも搬送方向下流側で前記給紙手段に当接してシートの重送を防止する重送防止手段と、
前記シート収容部に収容されたシートを昇降させる昇降手段と、
前記シート収容部が前記筐体に挿入されたことを検出する挿入検出手段と、
搬送方向下流側から、送り出されたシートに向けてエアーを吹付ける吹付け手段と、
前記挿入検出手段から検出信号を受信した後、前記シート検出手段から検出信号を受信すると、前記吹付け手段を作動させてから前記昇降手段を上昇させる第３制御手段と、
を有することを特徴とする給紙装置。
【発明の詳細な説明】
【技術分野】
【０００１】
本発明は、シート収容部に収容されたシートをシート収容部から送り出す給紙装置に関する。
【背景技術】
【０００２】
図１１に示すように、コート紙やアート紙等の塗工紙は表面の摩擦係数が高いので、複数枚のシートＳを重ねて給紙カセット（シート収容部）１０２から重送防止手段１０４まで送り出してしまうことがある（例えば、特許文献１参照）。
【０００３】
この状態で、給紙カセット１０２を画像形成装置本体から抜き出すと、重送防止手段１０４まで送り出されて重送防止手段１０４によって搬送を停止されたシートＳが、重送防止手段１０４の摩擦力或いはニップ力でその場所に留まろうとする。このため、重送防止手段１０４と該シートＳ、又は該シートＳの下のシートＳと該シートＳが擦れ合ってシートＳにダメージが発生する。
【０００４】
また、図１２（Ａ）に示すように、この状態で、給紙カセット１０２内のシートＳを昇降させるボトムプレート１０６を、給紙カセット１０２を画像形成装置本体から抜き出す際等に下降させると、シートＳが重送防止手段１０４から垂れ下がる。そして、この状態から、図１２（Ｂ）に示すように、ボトムプレート１０６を上昇させると、シートＳが裏返され、折り曲げられて大きなダメージを受けるという問題があった。
【特許文献１】特開平１−１９７２４５号公報
【発明の開示】
【発明が解決しようとする課題】
【０００５】
本発明は上記事実を考慮してなされたものであり、シート収容部を画像形成装置本体から抜き出す際やシート収容部内のシートを給紙位置まで上昇させる際等に、シート収容部から重送防止手段まで送り出されて停止しているシートにダメージを与えることを防止する。
【課題を解決するための手段】
【０００６】
請求項１に記載の給紙装置は、シートを収容するシート収容部と、前記シート収容部に収容されたシートを前記シート収容部から送り出す給紙手段と、前記シート収容部よりも搬送方向下流側で前記給紙手段に当接してシートの重送を防止する重送防止手段と、前記シート収容部に収容されたシートを昇降させる昇降手段と、搬送方向下流側から、送り出されたシートに向けてエアーを吹付ける吹付け手段と、給紙終了後に前記吹付け手段を作動させる第１制御手段と、を有することを特徴とする。
【０００７】
請求項１に記載の給紙装置では、シート収容部に収容されたシートが給紙手段によってシート収容部から送り出される。この際、複数枚のシートが重ねてシート収容部から送り出されても、シート収容部よりも搬送方向下流側で給紙手段に当接した重送防止手段によって、重送が防止される。
【０００８】
ここで、給紙が終了すると、第１制御手段によって吹付け手段が作動され、重送防止手段まで送り出されて重送防止手段によって停止されたシートは、重送防止手段よりも搬送方向下流側からエアーを吹き付けられてシート収容部に戻される。
【０００９】
これによって、シート収容部を筐体から抜き出す際に、シートにダメージを与えることを防止できる。
【００１０】
請求項２に記載の給紙装置は、請求項１に記載の給紙装置であって、前記シート収容部から送り出されたシートを検出するシート検出手段を備え、前記第１制御手段は、給紙終了後、前記シート検出手段から検出信号を受信すると前記吹付け手段を作動させることを特徴とする。
【００１１】
請求項２に記載の給紙装置では、第１制御手段が、給紙終了後、シート収容部から送り出されて停止しているシートがシート検出手段によって検出されると、吹付け手段を作動させる。即ち、シートがシート収容部に収まっており、吹付け手段を作動させる必要が無い時は、吹付け手段を作動させないようにする。これによって、吹付け手段の駆動電力を節約できる。
【００１２】
請求項３に記載の給紙装置は、請求項１又は２に記載の給紙装置であって、前記重送防止手段を前記給紙手段から離間させる離間手段を備え、前記第１制御手段は、給紙終了後、前記離間手段を前記吹付け手段と共に作動させることを特徴とする。
【００１３】
請求項３に記載の給紙装置では、第１制御手段は、給紙終了後、吹付け手段と共に離間手段を作動させ、給紙手段に当接した重送防止手段を、給紙手段から離間させる。これによって、シートが給紙手段と重送防止手段にニップされていた場合、ニップが解除されるので、吹付け手段によるエアーの吹付けによってシートをシート収容部に容易に戻すことができる。
【００１４】
請求項４に記載の給紙装置は、請求項２、３に記載の給紙装置であって、前記第１制御手段は、給紙終了後、前記シート検出手段から検出信号を受信すると、前記吹付け手段と共に前記離間手段を作動させることを特徴とする。
【００１５】
請求項４に記載の給紙装置では、第１制御手段が、給紙終了後、シート検出手段から検出信号を受信すると、吹付け手段と共に離間手段を作動させる。即ち、シートがシート収容部に収まっており、吹付け手段及び離間手段を作動させる必要が無い時は、吹付け手段及び離間手段を作動させないようにする。これによって、吹付け手段及び離間手段を作動させるための電力を節約できる。
【００１６】
請求項５に記載の給紙装置は、筐体に挿抜可能なシートを収容するシート収容部と、前記シート収容部に収容されたシートを前記シート収容部から送り出す給紙手段と、前記シート収容部よりも搬送方向下流側で前記給紙手段に当接してシートの重送を防止する重送防止手段と、前記シート収容部に収容されたシートを昇降させる昇降手段と、前記シート収容部が前記筐体に挿入されたことを検出する挿入検出手段と、前記挿入検出手段から検出信号を受信した後、前記シート検出手段から検出信号を受信しなければ前記昇降手段を上昇させる第２制御手段と、を有することを特徴とする。
【００１７】
請求項５に記載の給紙装置では、第２制御手段が、シート収容部が筐体に挿入されて挿入検出手段から検出信号を受信した後、シート検出手段から検出信号を受信しなければ、昇降手段を上昇させてシート収容部に収容されたシートを給紙位置まで上昇させる。
【００１８】
ここで、最上位のシートが重送防止手段まで送り出された状態で、シート収容部内のシートを給紙位置から下降させた場合、最上位のシートが重送防止手段からシート収容部へ垂れ下がり、この状態からシート収容部内のシートを上昇させると最上位のシートが折れ曲がってしまう。このため、シート検出手段から検出信号を受信した場合は昇降手段を上昇させないようにし、重送防止手段まで送り出されたシートにダメージを与えることを防止する。
【００１９】
請求項６に記載の給紙装置は、筐体に挿抜可能なシートを収容するシート収容部と、前記シート収容部に収容されたシートを前記シート収容部から送り出す給紙手段と、前記シート収容部よりも搬送方向下流側で前記給紙手段に当接してシートの重送を防止する重送防止手段と、前記シート収容部に収容されたシートを昇降させる昇降手段と、前記シート収容部が前記筐体に挿入されたことを検出する挿入検出手段と、搬送方向下流側から、送り出されたシートに向けてエアーを吹付ける吹付け手段と、前記挿入検出手段から検出信号を受信した後、前記シート検出手段から検出信号を受信すると、前記吹付け手段を作動させてから前記昇降手段を上昇させる第３制御手段と、を有することを特徴とする。
【００２０】
請求項６に記載の給紙装置では、第３制御手段が、シート収容部が筐体に挿入されて挿入検出手段から検出信号を受信した後、シート検出手段から検出信号を受信すると、吹付け手段を作動させて、重送防止手段まで送り出されたシートをシート収容部に戻してから、昇降手段を上昇させる。これによって、シートを給紙位置まで上昇させる際にシートにダメージを与えることを防止できる。
【発明の効果】
【００２１】
本発明は上記構成にしたので、シート収容部を筐体から抜き出す際やシート収容部内のシートを給紙位置まで上昇させる際等に、シート収容部から重送防止手段まで送り出されて停止しているシートにダメージを与えることを防止できる。
【発明を実施するための最良の形態】
【００２２】
本発明の実施形態に係る給紙装置４０について説明する前に、この給紙装置４０を備えた画像形成装置１０の概要について説明する。
【００２３】
図１に示すように、画像形成装置１０は画像形成部１２を備えている。画像形成部１２には、感光体ドラム１４が設けられており、感光体ドラム１４の円周方向には、帯電器１６、現像装置１８、クリーナー２０が配設されている。帯電器１６と現像装置１８の間には、感光体ドラム１４の表面にレーザー光を照射する画像書込装置２２が設けられている。
【００２４】
画像書込装置２２は、画像記録制御部２４に接続されている。画像記録制御部２４は、通信回線３２を介して受信部２６に接続されており、画像読取装置２８で読み取られたデータ、又は、外部機器（パーソナルコンピュータ等）３０からのデータ等の画像情報が受信部２６から画像記録制御部２４へ送られる。そして、画像記録制御部２４によって制御された画像情報に基づきレーザー光を変調して、画像書込装置２２から感光体ドラム１４に静電潜像を形成する。
【００２５】
感光体ドラム１４は、帯電器１６によって表面が所定の電位に帯電される。そして、画像書込装置２２からレーザー光が照射されて感光体ドラム１４の表面が露光され、静電潜像が形成される。この静電潜像が、現像装置１８によって現像化され、感光体ドラム１４の表面にトナー像が形成される。このとき、記録紙Ｐに転写されずに感光体ドラム１４の表面に残留したトナーは、クリーナー２０によって回収される。
【００２６】
感光体ドラム１４の画像書込装置２２と反対側には、感光体ドラム１４に対向して、転写ローラ３４が設けられている。後述する給紙部４２から搬送された記録紙Ｐに、転写ローラ３４によって感光体ドラム１４のトナー像が転写され、搬送方向下流側に設置された定着装置３６で、トナー像が記録紙Ｐに定着される。そして、定着装置３６の搬送方向下流側に設けられた一対の排出ローラ３８によって、記録紙Ｐは排出トレイ３９に排出される。
【００２７】
一方、画像形成装置１０の下方には、複数の給紙装置４０が上下に設けられた給紙部４２が配設されている。
【００２８】
図２に示すように、給紙装置４０は、矩形状の給紙トレイ４４を備えている。給紙トレイ４４内にはコート紙やアート紙等の塗工紙である記録紙Ｐが積層されており、搬送方向上流側には、記録紙Ｐの搬送方向の後端面を規制するエンドガイド４８が設けられている。また、記録紙Ｐの搬送方向と直交する方向の一方の端面（側端面）は、給紙トレイ４４の側壁４４Ａに突き当てられており、側壁４４Ａと対向する位置には、記録紙Ｐの他方の側端面を規制する側面ガイド５０が設置されている。エンドガイド４８は搬送方向に、側面ガイド５０は搬送方向と直交する方向に、それぞれスライド可能となっており、記録紙Ｐのサイズに応じてスライドさせて記録紙Ｐの端面を位置決めするようになっている。
【００２９】
また、給紙トレイ４４の底部には、モータ６７の駆動により昇降するボトムプレート４７が設けられている。モータ６７は、マイクロスイッチによってオン、オフされるようになっている。記録紙Ｐの最上位の高さが所定高さより低くなってマイクロスイッチがオンになると、モータを駆動してボトムプレート４７を上昇させる。記録紙Ｐの最上位の高さが所定高さになり、マイクロスイッチがオフになると、モータの駆動を停止してボトムプレート４７の上昇を停止させる構成となっている。
【００３０】
図２及び図３に示すように、各給紙トレイ４４の搬送方向の端部には、フレーム５４とロールユニット６６とブロワー９４及びダクト９０で構成された給紙ユニット５２が取り付けられている。フレーム５４は、給紙トレイ４４の搬送方向と直交する方向（幅方向）の両側に所定の間隔を設けて配設された長尺状のボックス部５６と、二つのボックス部５６の外側に設けられた側板６０とで、略門型状に形成されている。二つのボックス部５６の間にはスペースが設けられ、後述するロールユニット６６のナジャーロール６８とフィードロール７０が配置されている。
【００３１】
ボックス部５６の壁部６２には軸受が設けられており、ナジャーロール６８の支軸６８Ａが回転可能に軸支されている。このナジャーロール６８は、給紙トレイ４４に積載された記録紙Ｐの最上面に接触して、後述するフィードロール７０へ記録紙Ｐを送り出すようになっている。
【００３２】
また、ボックス部５６の壁部６２に設けられた軸受には、フィードロール７０の支軸７０Ａが回転可能に軸支されている。なお、説明は省略するが、ボックス部５６の中には、ナジャーロール６８、フィードロール７０、リタードロール７２を駆動する駆動機構が収納されている。そして、フィードロール７０は、駆動機構によって矢印Ａ方向に回転するようになっている。ナジャーロール６８の支軸６８Ａとフィードロール７０の支軸７０Ａには、それぞれ図示しない連動ギアが設けられており、各連動ギアは、中間ギアに噛み合って、フィードロール７０がモータの作動によって矢印Ａ方向に回転すると、ナジャーロール６８がこれと同期して同方向に回転する構成となっている。
【００３３】
このボックス部５６の下方には、垂直に前面板５８が設けられており、前面板５８の両端は側板６０に取り付けられている。前面板５８の略中央には、上辺から下方に渡って矩形状の切欠６４が形成されている。切欠６４には、ロールユニット６６のリタードロール７２が配置されている。
【００３４】
切欠６４の幅方向の縁部６４Ａには、アーム部材７３が取り付けられており、フィードロール７０の下方域へ張り出している。このアーム部材７３にはリタードロール７２の支軸７２Ａが回転可能に支持されている。リタードロール７２は、上方にあるフィードロール７０と当接して従動し、ナジャーロール６８から送り出された記録紙Ｐを重送することなく画像形成部へ搬送する。
【００３５】
なお、側板６０は、フランジ６１が設けられており、フランジ６１に形成された孔６３にネジを挿入して、図示しない本体フレームに取り付けられる。これによって、給紙ユニット５２は、本体フレームに対して着脱可能とされている。
【００３６】
前面板５８のボックス部５６に対向する端部は、記録紙Ｐの搬送方向側にＲ形状とされており、ボックス部５６と前面板５８の端部との間に、記録紙Ｐが通過可能な大きさの隙間を設けている。これにより、フィードロール７０とリタードロール７２によって送り出された記録紙Ｐは、前面板５８のＲ形状に沿ってボックス部５６と前面板５８の隙間に送られて、画像形成部へ搬送される。
【００３７】
図４に示すように、モータ６７（図２参照）の駆動によってボトムプレート４７が上昇し、ナジャーロール６８に当接すると、ボトムプレート４７が所定高さで停止する。次に、図示しないソレノイドによって、ナジャーロール６８が押し下げられて最上位の記録紙Ｐに接触し、回転して記録紙Ｐを送り出す。給紙が進んで最上位の記録紙Ｐの高さが所定の高さより低くなると、マイクロスイッチがオンになり、モータの駆動によってボトムプレート４７が上昇する。このようにして、給紙動作が継続される構成となっている。
【００３８】
また、図３に示すように、フレーム５４の前面板５８には、リタードロール７２の軸方向の両側に、略四角形状の開口部８６が形成されている。開口部８６の開口縁部には、ダクト９０の吹出し口９２が位置しており、給紙トレイ４４（図２参照）側へエアーを吹き出し可能となっている。そして、吹出し口９２が、図４に示すように、開口部下端が最上位の記録紙Ｐより下方に位置し、且つ、開口部上端が最上位の記録紙Ｐの上方に位置するように開口部８６が形成されている。また、本体フレームに給紙トレイ４４が装着されたとき、給紙ユニット５２の吹出し口９２は給紙トレイ４４の前面板４３よりも給紙トレイ４４内部へ入り込まない構成となっている。また、前面板４３の上端からフィードロール７０及びリタードロール７２に向かって傾斜したガイド板４３Ａには、吹出し口９２から吹出されたエアーを記録紙Ｐの前端部へ送風可能とする開口５１が形成されている。これにより、吹出し口９２から開口５１を通じて確実に給紙トレイ４４に積載された最上位の記録紙Ｐにエアーが吹き付けられて、且つ、シートＰが吹出し口９２にぶつからないようになっている。
【００３９】
ここで、図５に示すように、吹出し口９２は、リタードロール７２よりも搬送方向下流側に配置され、ブロア９４から吹出されたエアーが、リタードロール７２の上面に吹付けられるようになっている。このため、点線で図示するように、リタードロール７２まで送り出されて停止している記録紙Ｐの先端にブロア９４からエアーが吹付けられ、リタードロール７２の上面に先端を乗せて停まっている記録紙Ｐは、給紙カセット４４内に戻される。
【００４０】
以下、第１実施例のエアー制御部１００によるブロワー９４の制御方法について図６のフローチャートを参照して説明する。
【００４１】
プリントジョブが開始されると本フローが開始されステップ１に進む。ステップ１では、ジョブが終了するまで否定判定が繰り返され、肯定されるとステップ２に進む。ステップ２では、ブロワー９４を所定時間駆動させる。記録紙Ｐが先端をリタードロール７２の上面に乗せて停まっている場合、この記録紙Ｐはブロワー９４からエアーを吹付けられて給紙カセット４４内に戻される。そして、本フローを終了する。
【００４２】
このように、給紙終了後に、リタードロール７２の上面に向けてエアーを吹付けるようにしたので、給紙カセット４４を画像形成装置１０から抜き出す際には、必ず記録紙Ｐが給紙カセット４４内に収まっている。従って、給紙カセット４４を画像形成装置１０から抜き出す際に記録紙Ｐにダメージを与えてしまうことを防止できる。
【００４３】
次に、第２実施例について説明する。なお、第１実施例と同様の構成には同一の符号を付し、説明は省略する。
【００４４】
図７に示すように、給紙ユニット５３では、反射型のセンサ５５がフィードロール７０の軸方向の一端部に隣接されており、下方に光線を射出している。図中点線で示すように、記録紙Ｐがリタードロール７２まで送り出されて停まっていると、センサ５５から射出された光線が記録紙Ｐによって反射されてセンサ５５に入光する。
【００４５】
また、給紙装置５３には、リタードロール７２をフィードロール７０に対して接離させる接離機構５７が設けられている。接離機構５７は、リタードロール７２の支軸７２Ａの軸方向の両端部を支持する支持フレーム５９と、支持フレーム５９を昇降させるソレノイド６１とで構成されている。
【００４６】
以下、エアー制御部２００によるブロワー９４、ソレノイド６１の制御方法について図８のフローチャートを参照して説明する。
【００４７】
プリントジョブが開始されると本フローが開始され、ステップ１００へ進む。ステップ１００では、プリントジョブが終了するまで否定判定が繰り返され、肯定されるとステップ１０１へ進む。ステップ１０１では、センサ５５から検出信号を受信したか否かが判定され、肯定されるとステップ１０２へ進み、否定されると本フローを終了する。
【００４８】
ステップ１０２では、ソレノイド６１を励磁してリタードロール７２をフィードロール７０から離間させる。そして、ステップ１０３へ進み、ブロワー９４を駆動してリタードロール７２の上面に乗った記録紙Ｐの先端にエアーを吹付け、給紙カセット４４から食み出した記録紙Ｐを給紙カセット４４に戻す。
【００４９】
そして、ステップ１０４では、センサ５５からの検出信号が途切れるまで否定判定が繰り返され、肯定されるとステップ１０５へ進む。ステップ１０５では、ソレノイド６１の励磁を停止し、ブロワー９４を停止させる。そして、本フローを終了する。
【００５０】
このように、フィードロール７０とリタードロール７２による記録紙Ｐのニップを解除してからブロワ９４によるエアーの吹付けを行ったので、容易に記録紙Ｐを給紙カセット４４に戻すことができる。
【００５１】
また、記録紙Ｐが給紙カセット４４からリタードロール７２へ食み出している時だけブロワー９４を駆動し、ソレノイド６１を駆動するようにしたので、ブロワー９４、ソレノイド６１の駆動電力を節約できる。
【００５２】
次に、第３実施例について説明する。なお、第１、第２実施例と同様の構成には同一の符号を付し、説明は省略する。
【００５３】
図９（Ａ）に示すように、給紙装置６３は、給紙カセット４４がプリンタ本体に挿入されるとスイッチがオンになるマイクロスイッチ６５が設けられている以外は、第２実施形態の給紙装置５３と同様の構成である。
【００５４】
以下、エアー制御部３００によるブロワ９４、ソレノイド６１、及びボトムプレート４７を昇降させるモータ６７（図２参照）の制御方法について図１０のフローチャートを参照して説明する。
【００５５】
まず、プリントジョブが開始されると本フローが開始され、ステップ２００へ進む。ステップ２００では、プリントジョブが終了するまで否定判定が繰り返され、肯定されるとステップ２０１へ進む。ステップ２０１では、マイクロスイッチ６５がオフになったか否かが判定され、肯定されるとステップ２０２へ進み、否定されると本フローを終了する。
【００５６】
ステップ２０２では、図９（Ａ）に示すように、モータ６７を駆動してボトムプレート４７を最下位まで下降させる。この状態で、先端をリタードロール７２の上面に乗せた記録紙Ｐは、リタードロール７２から給紙カセット４４へ垂れ下がる。
【００５７】
そして、ステップ２０３へ進み、マイクロスイッチ６５がオンになるまで、即ち、給紙トレイ４４がプリンタ本体に再挿入されるまで否定判定が繰り返され、肯定されるとステップ２０４へ進む。ステップ２０４では、センサ５５から検出信号を受信したか否かが判定され、肯定されるとステップ２０５へ進み、否定されると本フローを終了する。
【００５８】
ステップ２０５では、図９（Ｂ）に示すように、ソレノイド６１を励磁してリタードロール７２をフィードロール７０から離間させる。そして、ステップ２０６へ進み、ブロワー９４を駆動してリタードロール７２の上面に乗った記録紙Ｐの先端にエアーを吹付け、給紙カセット４４から食み出した記録紙Ｐを給紙カセット４４に戻す。
【００５９】
そして、ステップ２０７では、センサ５５からの検出信号が途切れるまで否定判定が繰り返され、肯定されるとステップ２０８へ進む。ステップ２０８では、ソレノイド６１の励磁を停止し、ブロワー９４を停止させる。そして、ステップ２０９へ進む。
【００６０】
ステップ２０９では、モータ６７を駆動してボトムプレート４７を最上位の記録紙Ｐがナジャーロール６８に当接する給紙位置まで上昇させる。そして、本フローを終了する。
【００６１】
このように、先端がリタードロール７２の上面に乗り、リタードロール７２から給紙カセット４４へ垂れ下がった状態の記録紙Ｐ（図９（Ａ）参照）を、ブロワ９４によるエアーの吹付けで給紙カセット４４に戻してからボトムプレート４７を上昇させるようにしたので（図９（Ｂ）参照）、従来起こっていたボトムプレート４７を上昇させる際の、記録紙Ｐの折れ曲がりを防止できる。
【００６２】
なお、本実施形態では、ブロワー９４によって給紙カセット４４に収納された記録紙Ｐと、リタードロール７２まで送り出された記録紙Ｐの先端へのエアーの吹付けを行ったが、給紙カセット４４に収納された記録紙Ｐにエアーを吹付けるためと、リタードロール７２まで送り出された記録紙Ｐの先端へエアーを吹付けるために各別にブロワーを設けても良い。
【００６３】
また、ブロワーに変えてファンを設けても良い。
【００６４】
また、各実施形態では、筐体として画像形成装置を例にしているが、画像形成装置に変えて画像読取り装置等の給紙装置であっても構わない。
【図面の簡単な説明】
【００６５】
【図１】本発明の実施形態に係る給紙装置が搭載された画像形成装置の概略図である。
【図２】本発明の実施形態に係る給紙装置を示す斜視図である。
【図３】本発明の実施形態に係る給紙装置の給紙ユニットを示す斜視図である。
【図４】本発明の実施形態に係る給紙装置を示す断面図である。
【図５】本発明の第１実施例に係る給紙装置を示す断面図である。
【図６】本発明の第１実施例に係る給紙装置の制御方法を説明するためのフローチャートである。
【図７】本発明の第２実施例に係る給紙装置を示す断面図である。
【図８】本発明の第２実施例に係る給紙装置の制御方法を説明するためのフローチャートである。
【図９】（Ａ）、（Ｂ）は本発明の第３実施例に係る給紙装置を示す断面図である。
【図１０】本発明の第３実施例に係る給紙装置の制御方法を説明するためのフローチャートである。
【図１１】従来の給紙装置を示す断面図である。
【図１２】（Ａ）、（Ｂ）は従来の給紙装置を示す断面図である。
【符号の説明】
【００６６】
４０        給紙装置
４４        給紙カセット（シート収容部）
６１        ソレノイド（離間手段）
６７        モータ（昇降手段）
６８        ナジャーロール（給紙手段）
７０        フィードロール（給紙手段）
７２        リタードロール（重送防止手段）
９４        ブロワー（吹付け手段）
１００      エアー制御部（第１制御手段）
２００      エアー制御部（第１制御手段）
３００      エアー制御部（第２制御手段、第３制御手段）
Ｐ          記録紙（シート）
【図１】
2005335938.tif 000003
【図２】
2005335938.tif 000004
【図３】
2005335938.tif 000005
【図４】
2005335938.tif 000006
【図５】
2005335938.tif 000007
【図６】
2005335938.tif 000008
【図７】
2005335938.tif 000009
【図８】
2005335938.tif 000010
【図９】
2005335938.tif 000011
【図１０】
2005335938.tif 000012
【図１１】
2005335938.tif 000013
【図１２】
2005335938.tif 000014